(57)【要約】【課題】日本工業規格（ＪＩＳ）に基づいて分類される日本の電池の強度を評価する、広く用いられている日本の負荷テスタ等の定抵抗負荷を用いるバッテリテスタを模擬するための方法及び装置を提供する。【解決手段】本発明は、大きな電流負荷を誘発することなく該装置を模擬し、馴染みのある結果を出し、既存のデータベースを利用し、より決定的なテストを提供する。方法は、バッテリの開放電圧（ＯＣＶ）、温度及び動的パラメータの測定を含む。まず、該バッテリの負荷電圧を、測定されたバッテリの動的パラメータ、ＯＣＶ、負荷テスタの負荷抵抗値、及びバッテリ温度の関数として推定し、その後、該バッテリのバウンスバック電圧（ＢＢＶ）を予測する。該ＢＢＶ、負荷電圧及びバッテリ温度を用いて、該バッテリの強度を評価する。【選択図】  図３
2005148056.tif 000002
【特許請求の範囲】
【請求項１】
日本工業規格（ＪＩＳ）を用いて評価される蓄電池をテストする方法であって、
（ａ）バッテリの動的パラメータを測定するステップと、
（ｂ）前記バッテリの開放電圧を得るステップと、
（ｃ）前記バッテリの温度を得るステップと、
（ｄ）所定の負荷抵抗値を設定するステップと、
（ｅ）前記測定されたバッテリの動的パラメータ、バッテリの開放電圧、負荷抵抗値及びバッテリ温度の関数として、前記バッテリの負荷電圧を推定するステップと、
（ｆ）前記バッテリのバウンスバック（bounceback）電圧を予測するステップと、
（ｇ）前記バウンスバック電圧、負荷電圧及びバッテリ温度を用いてＪＩＳ寸法区分番号の分類に従って前記バッテリの強度を評価するステップとを含む方法。
【請求項２】
蓄電池をテストする方法であって、
（ａ）バッテリの動的パラメータを測定するステップと、
（ｂ）前記バッテリの開放電圧を得るステップと、
（ｃ）前記バッテリの温度を得るステップと、
（ｄ）所定の負荷抵抗値を設定するステップと、
（ｅ）前記測定されたバッテリの動的パラメータ、バッテリの開放電圧、負荷抵抗値及びバッテリ温度の関数として、前記バッテリの負荷電圧を推定するステップと、
（ｆ）前記バッテリのバウンスバック電圧を予測するステップと、
（ｇ）前記バウンスバック電圧、負荷電圧及びバッテリ温度を用いて前記バッテリの強度を評価するステップとを含む方法。
【請求項３】
請求項１または２に記載の方法であって、前記所定の負荷抵抗値を設定するステップ（ｄ）が、模擬する負荷テスタにとって適当な負荷抵抗値を設定するステップを含む方法。
【請求項４】
請求項１まはた２に記載の方法であって、前記バッテリ温度を得るステップ（ｃ）が、使用者から提供される入力として前記バッテリ温度を得るステップを含む方法。
【請求項５】
請求項１または２に記載の方法であって、前記バッテリ温度を得るステップ（ｃ）が、温度センサからの入力として前記バッテリ温度を得るステップを含む方法。
【請求項６】
請求項１または２に記載の方法であって、前記動的パラメータを測定するステップ（ａ）が、印加される電流パルスに対するバッテリの応答を測定するステップを含む方法。
【請求項７】
請求項１または２に記載の方法であって、前記測定されるバッテリの動的パラメータ値がバッテリのコンダクタンスである方法。
【請求項８】
請求項１または２に記載の方法であって、前記測定されるバッテリの動的パラメータ値がバッテリの抵抗値である方法。
【請求項９】
電子バッテリテスタであって、
バッテリの正端子に結合される正コネクタと、
前記バッテリの負端子に結合される負コネクタと、
前記バッテリの開放電圧を測定するよう構成される電圧センサと
前記バッテリの温度を得るよう構成される入力と、
バッテリテスト回路であって、
（ａ）第１及び第２のコネクタを用いて前記バッテリの動的パラメータを測定し、
（ｂ）前記測定されたバッテリの動的パラメータ、バッテリの開放電圧、負荷抵抗値及びバッテリ温度の関数として、前記バッテリの負荷電圧を推定し、
（ｃ）前記バッテリのバウンスバック電圧を予測し、
（ｄ）前記バウンスバック電圧、負荷電圧及びバッテリ温度を用いてＪＩＳ寸法区分番号の分類に従って前記バッテリの強度を評価するよう構成されるバッテリテスト回路とを備える、電子バッテリテスタ。
【請求項１０】
電子バッテリテスタであって、
バッテリの正端子に結合される正コネクタと、
前記バッテリの負端子に結合される負コネクタと、
前記バッテリの開放電圧を測定するよう構成される電圧センサと
前記バッテリの温度を得るよう構成される入力と、
バッテリテスト回路であって、
（ａ）第１及び第２のコネクタを用いて前記バッテリの動的パラメータを測定し、
（ｂ）前記測定されたバッテリの動的パラメータ、バッテリの開放電圧、負荷抵抗値及び前記バッテリ温度の関数として、前記バッテリの負荷電圧を推定し、
（ｃ）前記バッテリのバウンスバック電圧を予測し、
（ｄ）前記バウンスバック電圧、負荷電圧及びバッテリ温度を用いて前記バッテリの強度を評価するよう構成されるバッテリテスト回路とを備える、電子バッテリテスタ。
【請求項１１】
請求項９または１０に記載の装置であって、前記入力が使用者から前記バッテリ温度を得るよう構成される装置。
【請求項１２】
請求項９または１０に記載の装置であって、前記入力が温度センサから前記バッテリ温度を得るよう構成される装置。
【請求項１３】
請求項９または１０に記載の装置であって、前記バッテリテスト回路が、印加される電流パルスに対する前記バッテリの応答を測定することによって前記ステップ（ａ）の動的パラメータを測定するように構成される装置。
【請求項１４】
請求項９または１０に記載の装置であって、前記測定されるバッテリの動的パラメータがバッテリのコンダクタンスである装置。
【請求項１５】
請求項９または１０に記載の装置であって、前記測定されるバッテリの動的パラメータがバッテリの抵抗値である装置。
【請求項１６】
請求項９または１０に記載の装置であって、前記正コネクタが第１のケルビンコネクタであり、前記負コネクタが第２のケルビンコネクタである装置。
【請求項１７】
蓄電池をテストする方法であって、
（ａ）バッテリから流れる負荷電流の値を測定するステップと、
（ｂ）前記負荷電流の下で前記バッテリが達する電圧値を測定するステップと、
ステップ（ａ）及び（ｂ）で判断された値を用いて前記バッテリの強度を評価するステップとを含む方法。
【請求項１８】
蓄電池をテストする方法であって、
（ａ）バッテリの開放電圧を得るステップと、
（ｂ）前記バッテリの温度を得るステップと、
（ｃ）前記開放電圧及びバッテリ温度の関数として前記バッテリのバウンスバック電圧を予測するステップとを含む方法。
【発明の詳細な説明】
【技術分野】
【０００１】
本発明は蓄電池のテストに関する。より詳しくは、本発明は、日本工業規格（ＪＩＳ）に基づいて分類される日本の電池の強度を評価する、広く用いられている日本の負荷テスタ等の定抵抗負荷を用いるバッテリテスタの模擬（simulating）に関する。本発明は、大きな電流負荷を誘起することなく該装置を模擬し、馴染みのある結果を出し、既存のデータベースを利用し、より確実なテストを提供する。
【背景技術】
【０００２】
一般的に、バッテリの健全性の判断はバッテリの評価規格に基づいて行われる。日本のバッテリ製造業者は日本工業規格（ＪＩＳ）に従ってバッテリの設計及び製造を行う。自動車の始動、点灯及び点火等の目的で用いられる鉛酸蓄電池はＪＩＳ規格Ｄ５３０１で規定されている。この規格は、ＪＩＳ規格のバッテリの性能、試験、構造及び尺度のラベリングを定めるものである。
【０００３】
日本のバッテリテスタの１つのタイプとして、抵抗型負荷下でのバッテリ電圧およびその後の回復電圧を測定し、ＪＩＳ規格のバッテリとしてのサービスの実行可能性を見るものがある。該テスタは、ＪＩＳ規格番号で区分されるバッテリ寸法の幾つかの範囲、および複数の温度範囲に対応できる。バッテリは、その応答に応じて「良」、「まもなく交換」、「交換」等と判断される。
【発明の開示】
【発明が解決しようとする課題】
【０００４】
このテスタは、相当な速さでバッテリを放電する定負荷抵抗器であるため（例えば１５０アンペアで５〜６秒）、かなり大型であり、またテストを繰り返すと熱くなる場合がある。さらに、負荷および回復時間が完了するのを待つのに適度な時間がかかり、またバッテリ電荷が消耗する。さらに、このテスタはバッテリと直接接続されない電圧検出リードを有するため、バッテリ端末で電圧を正確に読み取るには、ケーブルがオーム的（ohmically）に完璧で電流が正確にわからなければならない。また、テスタがテストするバッテリから電力を供給される場合、高負荷によって弱いまたは放電されたバッテリが放出されることによって、テスタは制御回路の動作を維持するための十分な電力を消耗し、リセットされる。
【０００５】
従って、より制御しやすいテスト技術を用いて、上述の日本の負荷テスタ及び他の負荷テスタが提供可能な負荷テスト結果を得ることが望ましい。
【課題を解決するための手段】
【０００６】
日本工業規格（ＪＩＳ）に基づいて分類される日本の電池の強度を評価する、日本の負荷テスタ等の定抵抗負荷を用いるバッテリテスタを模擬するための方法及び装置を提供する。本発明による方法は、バッテリの動的パラメータを測定し、バッテリの開放電圧を得ることを含み、その後、バッテリの温度を得る。そして、測定されたバッテリの動的パラメータ、バッテリの開放電圧、負荷テスタの負荷抵抗値、及びバッテリの温度の関数として、該バッテリの負荷電圧を推定した後、該バッテリのバウンスバック電圧（bounceback voltage）を予測する。そして、バウンスバック電圧、負荷電圧及びバッテリ温度を用いて、ＪＩＳ規格のバッテリのＪＩＳ寸法区分番号の分類に従って該バッテリの強度を評価する。さらに、本発明の装置及び方法は、各寸法区分の基準ＣＣＡ（Cold Cranking Amps）の範囲を用いることで、ＪＩＳ規格外のバッテリに用いることも可能である。
【発明を実施するための最良の形態】
【０００７】
本発明は、日本工業規格（ＪＩＳ）に基づいて分類される日本のバッテリの強度を評価する日本の負荷テスタ等の、定抵抗負荷を用いるバッテリテスタを模擬する装置及び方法を提供する。本発明のバッテリテスタは、日本工業規格（ＪＩＳ）に従って評価されるバッテリの、コンダクタンス等の動的パラメータを評価し、模擬されるテスタの負荷の抵抗、ＪＩＳ規格のバッテリの開放電圧（open circuit voltage）及び温度と共に、ＪＩＳ寸法区分番号の分類に従ってＪＩＳ規格のバッテリの強度を評価するために用いられる算出値を出力する。さらに、該テスタは、各寸法区分の基準ＣＣＡ（Cold Cranking Amps）範囲を用いることによりＪＩＳ規格外のバッテリにも用いることができる。
【０００８】
図１は、本発明の１つの実施形態に係るバッテリテスト回路１６の簡略化されたブロック図である。図１において、装置１６は、正端子２２及び負端子２４を有するバッテリ１２と連結されている。バッテリ１２は、ＪＩＳ規格のバッテリでも、またはＣＣＡ規格のバッテリ等、ＪＩＳ規格外のバッテリでもよい。
【０００９】
回路１６は、本発明の１つの実施形態に従って作動し、バッテリ１２のコンダクタンス（Ｇ）、バッテリ１２の端子２２、２４間の開放電圧（ＯＣＶ）、およびバッテリ１２のバウンスバック電圧（bounceback voltage）（バッテリが負荷から開放された当初から一定時間（例えば３秒）が経過するまでの電圧の変化）を測定する。回路１６は、電流源５０、差動増幅器５２、Ａ／Ｄ変換器５４、及びマイクロプロセッサ５６を備える。増幅器５２は、コンデンサＣ１、Ｃ２を介してバッテリ１２に容量結合される。増幅器５２は、Ａ／Ｄ変換器５４の入力と接続される出力を有する。マイクロプロセッサ５６は、システムクロック５８、メモリ６０、及びＡ／Ｄ変換器５４と接続されている。また、マイクロプロセッサ５６は、入力装置６６、６８からの入力を受け取ることもできる。さらに、マイクロプロセッサ５６は出力装置７２にも接続されている。
【００１０】
作動すると、電流源５０はマイクロプロセッサ５６によって制御され、図１の矢印で示される方向に電流Ｉを供給する。１つの実施形態において、これは方形波またはパルスである。差動増幅器５２は、各コンデンサＣ１、Ｃ２を介してバッテリ１２の各端子２２、２４とそれぞれ接続され、端子２２、２４間の電圧電位差に関する出力を提供する。１つの好適な実施形態において、増幅器５２は高い入力インピーダンスを有する。回路１６は、各端子２４、２２にそれぞれ接続される反転および非反転入力を有する差動増幅器７０を備える。増幅器７０は、端子２２、２４間におけるバッテリ１２のＯＣＶを測定するよう接続される。増幅器７０の出力はＡ／Ｄ変換器５４に供給され、端子２２、２４間の電圧がマイクロプロセッサ５６で測定される。
【００１１】
回路１６は、ケルビン接続として周知の４点接続技術によってバッテリ１２へ接続されている。このケルビン接続により、電流Ｉが第１の対の端子を介してバッテリ１２に注入され、端子２２、２４間の電圧Ｖが第２の対の接続によって測定される。増幅器５２を流れる電流がほんのわずかであるため、増幅器５２への入力間の電圧降下は、バッテリ１２の端子２２、２４間の電圧降下と実質的に同じである。差動増幅器５２の出力はディジタル形式に変換され、マイクロプロセッサ５６に提供される。マイクロプロセッサ５６は、システムクロック５８で決定された周波数で、メモリ６０に格納されるプログラムの指示に従って作動する。
【００１２】
マイクロプロセッサ５６は、電流源５０を用いて電流パルスＩを印加することによって、バッテリ１２のコンダクタンスを測定する。マイクロプロセッサ５６は、増幅器５２及びＡ／Ｄ変換器５４を用いて電流パルスＩによるバッテリ電圧の変化を測定する。電流源５０によって生成される電流Ｉの値は既知であり、メモリ６０内に格納されている。マイクロプロセッサ５６は次の式を用いてバッテリ１２のコンダクタンスを算出する。
Ｃｏｎｄｕｃｔａｎｃｅ＝Ｇ＝ΔＩ／ΔＶ        （式１）
【００１３】
ここで、ΔＩは電流源５０によりバッテリ１２を流れる電流の変化、ΔＶは印加される電流ΔＩによるバッテリ電圧を変化を示す。本発明の１つの好適な実施形態において、バッテリ１２の温度は、例えばテスタ使用者によって入力６６から入力される。別の実施形態では、バッテリ１２と温度的に結合可能な、マイクロプロセッサ５６と結合される温度センサ７４を回路１６に備えることにより、バッテリ１２の温度を測定して、該バッテリ温度の測定値をマイクロプロセッサ５６に提供する。１つの実施形態では、バッテリの温度は、バッテリの外部からの赤外信号を用いて測定される。また、マイクロプロセッサ５６は、例えば操作者が入力装置６６から提供する他の入力情報を用いることもできる。この情報には、バッテリの具体的な種類、位置、時間、操作者名、バッテリの寸法区分番号、バッテリ温度などが含まれる。
【００１４】
マイクロプロセッサ５６の制御の下で、バッテリテスタ１６は、バッテリ１２の負荷電圧を、バッテリのコンダクタンスＧ（式１）、ＯＣＶ、模擬されるテスタ負荷の抵抗、及びバッテリ温度の関数として推定する。さらに、バッテリテスタ１６は、上述の通り、バッテリのバウンスバック電圧を予測する。バッテリテスタ１６のマイクロプロセッサ５６は、バウンスバック電圧、負荷電圧、及びバッテリ温度を用いて、ＪＩＳ寸法区分番号の分類に従ってバッテリの強度を評価する。バッテリ１２のバウンスバック電圧および負荷電圧を推定するためにバッテリテスタ１６が用いるアルゴリズムの一例の導出について、以下に詳述する。以下に示すアルゴリズムは、一般的な日本のバッテリ負荷テスタの分析により導出されたものである。
【００１５】
日本の負荷テスタの分析
日本の負荷テスタでは、使用者はケーブルクランプをバッテリに接続した後、バッテリの寸法及び温度を入力する必要がある。そして、使用者がスタートボタンを押すと、テスタは５〜６秒間、バッテリに負荷を与え、その後、負荷電圧（ＬＶ）を記録する。そして、テスタは２．５秒後にバウンスバック電圧または回復電圧を見て、該バッテリに関する判断を行う。
【００１６】
上記のように、使用者は、バッテリの寸法を入力する。具体的には、クランキング電力幅が徐々に増加する１０段階の寸法区分（０〜９）にバッテリを入力する。ただし、各区分はテスタにプリントされる様々なＪＩＳバッテリ番号と厳密に結び付いている。下記の表１は様々な寸法区分の範囲を示す。
【００１７】
【表１】
2005148056.tif 000003
【００１８】
上記のように、使用者は寸法区分に加えて温度も入力する。温度は、４区分で使用者により入力される（表２参照）。
【００１９】
【表２】
2005148056.tif 000004
【００２０】
バッテリが負荷を与えている間にテスタを支持する十分な電圧を供給するなら、テスタは、回復後に、低電圧と報告される１１．５ボルト（Ｖ）まで降下させたバッテリのテストを可能にする。実際に電圧が非常に低くなった場合、負荷テスタはリセットするだけであり、何も報告しない。
【００２１】
良好な電圧の場合（Ｖｇボルト）：
このタイプのテスタに関する寸法区分（０〜９）と温度（℃）との基本的な関係は、次の関係を有する。
Ｖｇ＝８．８＋０．１×ＧｒｏｕｐＳｉｚｅ＋０．０２×ＴｅｍｐＣ    （式２）
ここで、ＧｒｏｕｐＳｉｚｅ＝バッテリの寸法区分（上記表１）、ＴｅｍｐＣ＝バッテリの摂氏温度（上記表２）である。
【００２２】
電圧を交換する場合（Ｖｒボルト）：
Ｖｒ＝Ｖｇ−０．３      （式３）
ただし、バッテリは放電または他の問題を伴う場合があるため、測定された回復電圧またはバウンスバック電圧（ＢＢＶ）を評価し、寸法区分の基準及び温度と組み合わせて次のような結果を出す（下記表３を参照）。
【００２３】
【表３】
2005148056.tif 000005
【００２４】
本発明によるバッテリテスタのアルゴリズム例
上記のように、本発明のバッテリテスタは、バッテリのＯＣＶ、コンダクタンス、及び温度（測定または使用者が入力）の測定値を用いて負荷電圧（ＬＶ）を予測することによって機能する。
【００２５】
負荷電圧をボルトで予測するために、次の関係が用いられる。
ＬＶ＝Ｖａｃｔ−Ｉ×Ｒ      （式４）
ここで、Ｖａｃｔ＝活性化電圧、Ｉ＝負荷電流、Ｒ＝バッテリ抵抗である。
Ｖａｃｔ＝Ｋ１×ＯＣＶ2＋Ｋ２×ＯＣＶ＋Ｋ３×ＴｅｍｐＣ−Ｋ４      （式５）
ここで、Ｋ１、Ｋ２、Ｋ３及びＫ４は定数であり、その値は模擬されるバッテリテスタの種類に基づいて選択される。
【００２６】
バッテリのコンダクタンス（Ｇ）は、式１を用いて前記の通り測定される。バッテリの抵抗は、１００Ｈｚで測定されたコンダクタンスを用いて、次の式により推定される。
Ｒ＝Ｋ５／Ｇ＋Ｋ６      （式６）
ここで、Ｋ５及びＫ６は定数である。ただし、日本のテスタは定負荷抵抗を用いるため、電流はバッテリの抵抗によって変動する。従って、負荷電流は最初に推定する必要がある。
【００２７】
これは、次の関係を用いて行うことができる。
Ｉ＝Ｖａｃｔ／（Ｒ＋Ｒ１）      （式７）
ここで、Ｒ１は負荷テスタの抵抗をオームで推定したものである。
【００２８】
一般的に、負荷は１１０〜１６０アンペアの間で変動することがわかっている。１１０アンペアより低い場合、負荷テスタはリセットされる。従って、負荷電圧を推定して、これをバッテリ強度の評価に用いることができる。
【００２９】
さらに、開放電圧及び温度を用いて、二次方程式によって回復電圧またはバウンスバック電圧（ＢＢＶ）を推定できることがわかっている。
ＢＢＶ＝Ｋ７×ＯＣＶ＋Ｋ８×ＯＣＶ−Ｋ９＋Ｋ１０×（ＴｅｍｐＣ−Ｋ１１）
（式８）
ここで、Ｋ７、Ｋ８、Ｋ９、Ｋ１０及びＫ１１は定数である。
【００３０】
従って、これらの計算（式１及び４〜８）を用いることにより、高負荷を掛けることなく、日本の負荷テスタによって得られる値を予測することができる。
【００３１】
図２は、本発明の１つの実施形態に従ってバッテリテスタ１６をプログラムする方法のステップを示すフローチャート１００である。フローチャート１００に示すように、ステップ１０２で、バッテリのコンダクタンス、温度、及びＯＣＶから負荷電圧を推定するための数学的関係が確立される（上記式１及び４〜７）。ステップ１０４で、バッテリのバウンスバック電圧を推定するための数学的関係が確立される（式８）。ステップ１０６で、これらの数学的関係がバッテリテスタ１６のメモリ６０にプログラムされる。この時点で、バッテリテスタ１６は、バッテリの負荷電圧及びバウンスバック電圧を推定し、該推定したバウンスバック電圧、負荷電圧、及びバッテリ温度を用いてＪＩＳ寸法区分番号の分類に従ってバッテリの強度を評価する用意が整う。
【００３２】
図３は、本発明の１つの実施形態に従ってバッテリをテストする方法のステップを示すフローチャート１５０である。ステップ１５２で、バッテリの動的パラメータを測定する。ステップ１５４で、バッテリの開放電圧を得る。ステップ１５６で、バッテリの温度を得る。ステップ１５７で、テスタの負荷抵抗値を設定する。これは、模擬する負荷テスタに適当な所定の負荷抵抗値である。ステップ１５８で、バッテリの負荷電圧を、測定したバッテリの動的パラメータ、バッテリの開放電圧、負荷抵抗及びバッテリ温度の関数として推定する。ステップ１６０で、バッテリのバウンスバック電圧を予測する。ステップ１６２で、バウンスバック電圧、負荷電圧、及びバッテリ温度を用いてＪＩＳ寸法区分番号の分類に従ってバッテリの強度を評価する。本発明の範囲及び精神を逸脱することなく、実質的に同様の機能を維持しながら、異なる技術を用いて図３のフローチャートに示すステップを実行することも可能であり、その幾つかは上述されている。
【００３３】
さらに、本発明のテスタからは負荷が掛けられないため、該テスタは、標準的な負荷テスタであればリセットされるエリアにおいても判定を行うことにより、標準的な負荷テスタを改良することができる。特に、バウンスバック電圧が１１．５Ｖを超え、負荷電圧が極めて低い（＜７Ｖ）場合、該バッテリが「不良／交換」の要因になることは確実である。バウンスバック電圧が１１．５Ｖより低く、ＯＣＶが１１Ｖを超え、負荷電圧がＶｒより低く推定された場合、判断は延期され、該バッテリは「充電して再テスト」のカテゴリーに入れられる。さらに、テスタは、ＯＣＶが１１Ｖより低い場合、重要なコンダクタンスを見つけることによってショートする可能性のあるバッテリを検出することができる。これらは「不良／交換」のカテゴリに入れられる。電圧が極めて低い場合でコンダクタンスがほとんど存在しない場合、該バッテリは「充電して再テスト」のカテゴリーに入れられる。改良された、より具体的な比較及び結果を下記の表４に示す。
【００３４】
【表４】
2005148056.tif 000006
【００３５】
前記の本発明による実施形態の例はバッテリのコンダクタンスの測定値に基づく負荷電圧の推定に関するものだが、本発明の精神及び範囲を逸脱することなくバッテリのコンダクタンス以外の動的パラメータを用いることも可能である。他の動的パラメータの例としては、動的抵抗、アドミタンス、インピーダンス、リアクタンス、サセプタンス、またはこれらの組み合わせ等がある。本発明の好適な実施形態において、バッテリテスタ１６は比較的小型で携帯できるものである。
【００３６】
前記の本発明による実施形態は主に、日本の負荷テスタの模擬に関して説明したものである。しかし、本発明の意義は必ずしも日本のテスタを模倣することではなく、一般的に、定抵抗負荷を用いるあらゆるテスタを模倣することである。一般的に、定抵抗負荷を用いるテスタの模擬には、（１）バッテリからどれ位の電流が流れるかを測定し（上記式７）、（２）かかる負荷の下でバッテリがどれ位の電圧に達するかを測定する（上記式４）、２段階のプロセスがある。従来技術のアルゴリズムの多くは、負荷電流を規定して電圧を予測ことを前提としている。
【００３７】
本発明は好適な実施形態を参照して説明したが、当業者であれば、本発明の精神及び範囲を逸脱することなく形式及び詳細の変更が可能であることは認識されるであろう。
【図面の簡単な説明】
【００３８】
【図１】本発明に係るバッテリテスト回路を示す簡略化された模式図である。
【図２】本発明に係るバッテリテスタをプログラムする方法のステップを示す簡略化されたブロック図である。
【図３】本発明に係るバッテリをテストする方法のステップを示す簡略化されたブロック図である。
【符号の説明】
【００３９】
１２……バッテリ、１６……バッテリテスト回路、２２……正端子、２４……負端子、５０……電流源、５２……差動増幅器、５４……Ａ／Ｄ変換器、５６……マイクロプロセッサ、５８……システムクロック、６０……メモリ、６６，６８……入力装置、７０……増幅器、７２……出力装置、７４……、バッテリ１２と温度的に結合可能な、マイクロプロセッサ５６と結合される、Ｃ１、Ｃ２……コンデンサ
【図１】
2005148056.tif 000007
【図２】
2005148056.tif 000008
【図３】
2005148056.tif 000009
【外国語明細書】
2005148056.tif 000010
2005148056.tif 000011
2005148056.tif 000012
2005148056.tif 000013
2005148056.tif 000014
2005148056.tif 000015
2005148056.tif 000016
2005148056.tif 000017
2005148056.tif 000018
2005148056.tif 000019
2005148056.tif 000020
2005148056.tif 000021
2005148056.tif 000022
2005148056.tif 000023
2005148056.tif 000024
2005148056.tif 000025
2005148056.tif 000026
2005148056.tif 000027
2005148056.tif 000028
2005148056.tif 000029
2005148056.tif 000030
2005148056.tif 000031
2005148056.tif 000032
2005148056.tif 000033
2005148056.tif 000034
2005148056.tif 000035
2005148056.tif 000036
2005148056.tif 000037
2005148056.tif 000038